(57)【要約】    【構成】携帯通信端末１０は、メールを利用するアップロードサービスに対応している。携帯通信端末１０が備えるＲＡＭ３４は、アップロードのためのブログ専用アドレスとアップロードにおける制限事項とを含む、ブログ専用のアドレスデータを記憶する。また、ブログ専用アドレスが宛先に設定されたメールの送信操作が行われると、プロセッサ２４は、送信されるメールが制限事項に違反しているかを判断する。そして、違反していなければ、そのメールはそのまま送信される。一方、違反していれば、メールは送信されずに、違反理由がディスプレイ３０に表示される。    【効果】ブログ専用アドレスとアップロードの制限事項とを含むアドレスデータを予め登録できるため、使用者はメールを送信する前に制限事項を確認する必要が無くなり、使用者の利便性が向上する。【選択図】図１
2011180851.tif 000002
【特許請求の範囲】
【請求項１】
メールを利用するアップロードサービスに対応する携帯通信端末であって、
アップロードのための特定アドレスとアップロードにおける制限事項とを関連付けて記憶する記憶部、
前記特定アドレスが宛先に設定されたメールの送信操作がされたとき、前記制限事項に違反するか否かを判断する判断部、
前記判断部によって前記制限事項に違反しないと判断されたとき、前記特定アドレスが宛先に設定されたメールを送信する送信部、および
前記判断部によって前記制限事項に違反すると判断されたとき、違反していることを通知する通知部を備える、携帯通信端末。
【請求項２】
前記記憶部は、メールの送信に関するメール制限事項をさらに記憶し、
前記判断部によって前記制限事項に違反しないと判断されたとき、前記メール制限事項に違反するか否かを判断するメール判断部、および
前記メール判断部によって前記メール制限事項に違反すると判断されたとき、違反していることを通知するメール違反通知部をさらに備え、
前記送信部は、前記判断部によって前記制限事項に違反しないと判断され、かつ前記メール判断部によって違反しないと判断されたとき、前記特定アドレスが宛先に設定されたメールを送信する、請求項１記載の携帯通信端末。
【請求項３】
前記携帯通信端末は、複数のアカウントのメールを利用でき、
前記記憶部は、前記複数のアカウントのそれぞれに対応する複数のメール制限事項を記憶し、
前記メール判断部は、前記判断部によって前記制限事項に違反しないと判断されたとき、選択されたアカウントに対応するメール制限事項に違反するか否かを判断する、請求項２記載の携帯通信端末。
【請求項４】
前記携帯通信端末は、サーバが公開するデータを表示するブラウザ機能を有し、
前記メール違反通知部によって違反が通知された後、前記ブラウザ機能を実行する実行部をさらに備える、請求項２または３記載の携帯通信端末。
【請求項５】
前記記憶部は、前記特定アドレスと前記制限事項とを含むアドレスデータを記憶し、
前記アドレスデータに基づいて、前記特定アドレスをメールの宛先に設定する設定部をさらに備える、請求項１ないし４のいずれかに記載の携帯通信端末。
【請求項６】
文字を入力するための文字入力キー、および
前記文字入力キーによって入力された文字列と一致する特定アドレスを含むアドレスデータを特定する特定部をさらに備え、
前記設定部は、前記特定部よって特定されたアドレスデータに基づいて、メールの宛先を設定する入力アドレス設定部を含む、請求項５記載の携帯通信端末。
【請求項７】
前記記憶部に記憶された前記特定アドレスに対応するアイコンを表示する表示部、および
前記アイコンが選択されたとき、そのアイコンに対応する特定アドレスが宛先に設定されるメールを作成するメール作成部をさらに備える、請求項１ないし６のいずれかに記載の携帯通信端末。
【請求項８】
前記制限事項は、複数の項目から構成されており、
前記通知部は、前記複数の項目のうち違反した項目に対応する通知を行う、請求項１ないし７のいずれかに記載の携帯通信端末。
【請求項９】
メールを利用するアップロードサービスに対応し、アップロードのための特定アドレスとアップロードにおける制限事項とを関連付けて記憶する記憶部を有する、携帯通信端末のプロセッサを、
前記特定アドレスが宛先に設定されたメールの送信操作がされたとき、前記制限事項に違反するか否かを判断する判断部、
前記判断部によって前記制限事項に違反しないと判断されたとき、前記特定アドレスが宛先に設定されたメールを送信する送信部、および
前記判断部によって前記制限事項に違反すると判断されたとき、違反していることを通知する通知部として機能させる、アップロード制御プログラム。
【請求項１０】
メールを利用するアップロードサービスに対応し、アップロードのための特定アドレスとアップロードにおける制限事項とを関連付けて記憶する記憶部を有する、携帯通信端末のアップロード制御方法であって、
前記特定アドレスが宛先に設定されたメールの送信操作がされたとき、前記制限事項に違反するか否かを判断し、
前記制限事項に違反しないと判断されたとき、前記特定アドレスが宛先に設定されたメールを送信し、そして
前記制限事項に違反すると判断されたとき、違反していることを通知する、アップロード制御方法。
【請求項１１】
メールを利用するアップロードサービスに対応する通信端末であって、
アップロードのための特定アドレスとアップロードにおける制限事項とを関連付けて記憶する記憶部、
前記特定アドレスが宛先に設定されたメールの送信操作がされたとき、前記制限事項に違反するか否かを判断する判断部、
前記判断部によって前記制限事項に違反しないと判断されたとき、前記特定アドレスが宛先に設定されたメールを送信する送信部、および
前記判断部によって前記制限事項に違反すると判断されたとき、違反していることを通知する通知部を備える、通信端末。
【発明の詳細な説明】
【技術分野】
【０００１】
この発明は、携帯通信端末、アップロード制御プログラム、アップロード制御方法および通信端末に関し、特にメールを利用するアップロードサービスに対応する、携帯通信端末、アップロード制御プログラム、アップロード制御方法および通信端末に関する。
【背景技術】
【０００２】
従来、特にたとえばメールを利用できる携帯通信端末は広く知られており、この種の装置の一例が特許文献１に開示されている。この背景技術の電子メール処理装置は、電子メールを送信する際に、電子メールの文字数を、通信業者において定められている上限文字数と比較する。そして、文字数が上限文字数を超えていれば、その電子メールには送信許可が与えられない。
【０００３】
また、特許文献２には、メールにファイルを添付したときに、メールに添付された複数のファイルの合計サイズを取得することができる、メール送信装置が開示されている。このメール送信装置において、添付されたファイルの合計サイズが所定の設定を超えた場合、サイズオーバーがユーザに通知される。
【特許文献１】特開２００２−３１２２９１号公報［G06F 13/00, H04L 12/58, H04M 11/00］
【特許文献２】特開２００６−１５４８９４号公報［G06F 13/00, H04M 11/00, H04N 1/00, H04N 1/21］
【発明の概要】
【発明が解決しようとする課題】
【０００４】
近年、ブログサイトなどではメールを利用して、ブログの内容（日記）をアップロードすることができる。そして、このようなアップロードには制限事項が設けられている。
【０００５】
ところが、アップロードの制限事項は、特許文献１で示されるメールの文字数制限や、特許文献２で示される添付ファイルの合計サイズ制限などのメール制限事項とは異なっている。また、アップロードの制限事項は、複数の項目から構成されるため、ブログサイト毎に異なっている。そして、メール制限事項に違反せずにアップロード用のメールが送信できても、アップロードの制限事項に違反して、ブログサイトが正しくアップロードされないことがあった。
【０００６】
そのため、携帯電話機の使用者が正しくアップロードされたことを確認するためには、ブログサイトにアクセスしなければならず、使用者は余計な手間と通信料とをかけなければならなかった。さらに、正しくアップロードされていなくても、使用者は送信したメールに対する通信料を支払ったうえで、さらに再アップロードをする必要があった。このように、アップロードサービスを利用した使用者に対する負担は大きかった。
【０００７】
それゆえに、この発明の主たる目的は、新規な、携帯通信端末、アップロード制御プログラム、アップロード制御方法および通信端末を提供することである。
【０００８】
この発明の他の目的は、アップロードサービスを利用する使用者の利便性を向上させる、携帯通信端末、アップロード制御プログラム、アップロード制御方法および通信端末を提供することである。
【課題を解決するための手段】
【０００９】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【００１０】
第１の発明は、メールを利用するアップロードサービスに対応する携帯通信端末であって、アップロードのための特定アドレスとアップロードにおける制限事項とを関連付けて記憶する記憶部、特定アドレスが宛先に設定されたメールの送信操作がされたとき、制限事項に違反するか否かを判断する判断部、判断部によって制限事項に違反しないと判断されたとき、特定アドレスが宛先に設定されたメールを送信する送信部、および判断部によって制限事項に違反すると判断されたとき、違反していることを通知する通知部を備える、携帯通信端末である。
【００１１】
第１の発明では、携帯通信端末（１０）は、ブログサイトなどが提供する、メールを利用するアップロードサービスに対応する。記憶部（３４）は、たとえばＲＡＭであり、アップロードのための特定アドレス（aaa@X○.com）と、ブログサイトが規定するアップロードの制限事項（３４２ｂ）とを関連付けて記憶する。判断部（２４，Ｓ８９）は、たとえば日記をアップロードするためのメールに対して送信操作がされると、そのメールがアップロードの制限事項に違反するか否かを判断する。送信部（１２，１４，２４，Ｓ１１１）は、送信されるメールが制限事項に違反していなければ、アップロードするためのメールを送信する。そして、通知部（２４，Ｓ９１）は、送信されるメールが制限事項に違反していれば、制限事項に違反していることを通知する。
【００１２】
第１の発明によれば、特定アドレスとアップロードにおける制限事項と関連付けて、予め登録することができるため、メールを送信する前に制限事項を確認する必要が無くなり、使用者の利便性が向上する。
【００１３】
また、正しくアップロードできないメールの送信が防止されるため、使用者の金銭的な負担や、アップロードの確認のための手間が軽減される。
【００１４】
第２の発明は、第１の発明に従属し、記憶部は、メールの送信に関するメール制限事項をさらに記憶し、判断部によって制限事項に違反しないと判断されたとき、メール制限事項に違反するか否かを判断するメール判断部、およびメール判断部によってメール制限事項に違反すると判断されたとき、違反していることを通知するメール違反通知部をさらに備え、送信部は、判断部によって制限事項に違反しないと判断され、かつメール判断部によって違反しないと判断されたとき、特定アドレスが宛先に設定されたメールを送信する。
【００１５】
第２の発明では、メール制限事項（３４４）は、最大文字数、添付されるデータ（添付データ）のデータ容量および添付可能なデータの数などを示す数値から構成され、記憶部に記憶される。メール判断部（２４，Ｓ１０１）は、送信されるメールがアップロードの制限事項に違反していなければ、メールの制限事項に違反するかを判断する。メール違反通知部（２４，Ｓ１０３）は、送信されるメールがメール制限事項に違反していれば、メール制限事項に違反していることを通知する。そして、送信部は、送信されるメールがアップロードの制限事項およびメール制限事項に違反していなければ、メールを送信する。
【００１６】
第２の発明によれば、メールが送信される前に、アップロードの制限事項およびメール制限事項の２つが確認されるため、正しくアップロードできないメールの送信を、より確実に防止できる。
【００１７】
第３の発明は、第２の発明に従属し、携帯通信端末は、複数のアカウントのメールを利用でき、記憶部は、複数のアカウントのそれぞれに対応する複数のメール制限事項を記憶し、メール判断部は、判断部によって制限事項に違反しないと判断されたとき、選択されたアカウントに対応するメール制限事項に違反するか否かを判断する。
【００１８】
第３の発明では、携帯通信端末は、事業主のメールサーバ（１０２）を利用しないメール（たとえば、フリーメール、Webメール、一般のプロバイダが提供するメールなど）のアカウントを利用して、メールの送受信を行うことができる。そのため、記憶部は、選択可能なアカウントのそれぞれに対応するメール制限事項を記憶する。そして、メール判断部は、判断部によって制限事項に違反しないと判断されたとき、選択されたアカウントに対応するメール制限事項に違反するか否かを判断する。
【００１９】
第３の発明によれば、選択されたアカウントおよび特定アドレスに基づいて、メール制限事項および制限事項を組み合わせることができる。そして、携帯通信端末は、送信されるメールがそれぞれの制限事項に違反しているかを確認できる。
【００２０】
第４の発明は、第２の発明または第３の発明に従属し、携帯通信端末は、サーバが公開するデータを表示するブラウザ機能を有し、メール違反通知部によって違反が通知された後、ブラウザ機能を実行する実行部をさらに備える。
【００２１】
第４の発明では、携帯通信端末はブラウザ機能によって、たとえばブログサーバ（１０４）が公開するブログサイトを表示する。実行部（２４，Ｓ１０９）は、たとえば送信されるメールがメール制限事項に違反したとき、ブラウザ機能を実行することで、ブログサイトを表示する。
【００２２】
第４の発明によれば、メールによってアップロードができなくても、アップロードするためのブログサイトが表示されるため、使用者はデータをアップロードすることができる。
【００２３】
第５の発明は、第１の発明ないし第４の発明のいずれかに従属し、記憶部は、特定アドレスと制限事項とを含むアドレスデータを記憶し、アドレスデータに基づいて、特定アドレスをメールの宛先に設定する設定部をさらに備える。
【００２４】
第５の発明では、アドレスデータ（３４２ｂ）は、特定アドレスと制限事項とを含む。設定部（２４，Ｓ５１，Ｓ５９）は、特定アドレスを含むアドレスデータに基づいて、特定アドレスをメールの宛先に設定する。
【００２５】
第５の発明によれば、使用者は、既存のアドレス帳機能を利用して、ブログ専用アドレスをメールの宛先に設定できる。
【００２６】
第６の発明は、第５の発明に従属し、文字を入力するための文字入力キー、および文字入力キーによって入力された文字列と一致する特定アドレスを含むアドレスデータを特定する特定部をさらに備え、設定部は、特定部よって特定されたアドレスデータに基づいて、メールの宛先を設定する入力アドレス設定部を含む。
【００２７】
第６の発明では、文字入力キー（２６ｈ）は、たとえば数字、アルファベットおよび記号などを入力可能なキーである。特定部（２４，Ｓ５７）は、入力された文字列と一致する特定アドレスを含む、アドレスデータを特定する。入力アドレス設定部（２４，Ｓ５９）は、特定されたドレスデータに含まれる特定アドレスを、メールの宛先に設定する。
【００２８】
第６の発明によれば、ブログ専用アドレスが直接入力されても、アドレスデータとして予め登録されていれば、制限事項を読み出すことができる。
【００２９】
第７の発明は、第１の発明ないし第６の発明のいずれかに従属し、記憶部に記憶された特定アドレスに対応するアイコンを表示する表示部、およびアイコンが選択されたとき、そのアイコンに対応する特定アドレスが宛先に設定されるメールを作成するメール作成部をさらに備える。
【００３０】
第７の発明では、表示部（２４，Ｓ１３３）は、記憶された特定アドレスに対応するアイコンを、選択可能に表示する。メール作成部（２４，Ｓ１３９）は、アイコンが選択されると、選択されたアイコンと対応するアドレスデータから特定アドレスを読み出し、読み出されたアドレスが宛先に設定されるメールを作成する。
【００３１】
第７の発明によれば、特定アドレスに対応するアイコンを表示することで、アップロード用のメールを容易に作成できるようになる。
【００３２】
第８の発明は、第１の発明ないし第７の発明のいずれかに従属し、制限事項は、複数の項目から構成されており、通知部は、複数の項目のうち違反した項目に対応する通知を行う。
【００３３】
第８の発明では、制限事項は、最大文字数、データの形式、データの最大容量、データの最大サイズなどの複数の項目から構成される。そして、通知部は、違反した項目に対応して、違反理由を通知する。
【００３４】
第８の発明によれば、制限事項に違反した理由が通知されるため、使用者は容易にメールを修正できるようになる。
【００３５】
第９発明は、メールを利用するアップロードサービスに対応し、アップロードのための特定アドレス（aaa@X○.com）とアップロードにおける制限事項（３４２ｂ）とを関連付けて記憶する記憶部（３４）を有する、携帯通信端末（１０）のプロセッサ（２４）を、特定アドレスが宛先に設定されたメールの送信操作がされたとき、制限事項に違反するか否かを判断する判断部（Ｓ８９）、判断部によって制限事項に違反しないと判断されたとき、特定アドレスが宛先に設定されたメールを送信する送信部（Ｓ１１１）、および判断部によって制限事項に違反すると判断されたとき、違反していることを通知する通知部（Ｓ９１）として機能させる、アップロード制御プログラムである。
【００３６】
第９の発明も、第１の発明と同様に、特定アドレスとアップロードにおける制限事項と関連付けて、予め登録することができるため、使用者はメールを送信する前に制限事項を確認する必要が無くなり、使用者の利便性が向上する。
【００３７】
第１０の発明は、メールを利用するアップロードサービスに対応し、アップロードのための特定アドレス（aaa@X○.com）とアップロードにおける制限事項（３４２ｂ）とを関連付けて記憶する記憶部（３４）を有する、携帯通信端末（１０）のアップロード制御方法であって、特定アドレスが宛先に設定されたメールの送信操作がされたとき、制限事項に違反するか否かを判断し（Ｓ８９）、制限事項に違反しないと判断されたとき、特定アドレスが宛先に設定されたメールを送信し（Ｓ１１１）、そして制限事項に違反すると判断されたとき、違反していることを通知する（Ｓ９１）、アップロード制御方法である。
【００３８】
第１０の発明も、第１の発明と同様に、特定アドレスとアップロードにおける制限事項と関連付けて、予め登録することができるため、使用者はメールを送信する前に制限事項を確認する必要が無くなり、使用者の利便性が向上する。
【００３９】
第１１の発明は、メールを利用するアップロードサービスに対応する通信端末（１０）であって、アップロードのための特定アドレス（aaa@X○.com）とアップロードにおける制限事項（３４２ｂ）とを関連付けて記憶する記憶部（３４）、特定アドレスが宛先に設定されたメールの送信操作がされたとき、制限事項に違反するか否かを判断する判断部（２４，Ｓ８９）、判断部によって制限事項に違反しないと判断されたとき、特定アドレスが宛先に設定されたメールを送信する送信部（２４，Ｓ１１１）、および判断部によって制限事項に違反すると判断されたとき、違反していることを通知する通知部（２４，Ｓ９１）を備える、通信端末である。
【００４０】
第１１の発明も、第１の発明と同様に、特定アドレスとアップロードにおける制限事項と関連付けて、予め登録することができるため、使用者はメールを送信する前に制限事項を確認する必要が無くなり、使用者の利便性が向上する。
【発明の効果】
【００４１】
この発明によれば、特定アドレスとアップロードにおける制限事項と関連付けて登録できるため、使用者はメールを送信する前に制限事項を確認する必要が無くなり、使用者の利便性が向上する。
【００４２】
この発明の上述の目的、その他の目的、特徴および利点は、図面を参照して行う以下の実施例の詳細な説明から一層明らかとなろう。
【図面の簡単な説明】
【００４３】
【図１】図１はこの発明の一実施例の携帯通信端末の電気的な構成を示すブロック図である。
【図２】図２は図１に示す携帯通信端末の外観を示す図解図である。
【図３】図３は図１に示すディスプレイに表示されるキーとキー入力装置との対応を示す図解図である。
【図４】図４は図１に示すディスプレイの表示の一例を示す図解図である。
【図５】図５は図１に示す携帯通信端末が実行するアドレス帳機能のＧＵＩの一例を示す図解図である。
【図６】図６は図１に示す携帯通信端末が実行するアドレス帳機能のＧＵＩの他の一例を示す図解図である。
【図７】図７は図１に示すＲＡＭに記憶されるアドレス帳データの一例を示す図解図である。
【図８】図８は図１に示すＲＡＭに記憶されるメール制限事項の一例を示す図解図である。
【図９】図９は図１に示す携帯通信端末が実行するメール機能のＧＵＩの一例を示す図解図である。
【図１０】図１０は図１に示す携帯通信端末が実行するメール機能のＧＵＩの他の一例を示す図解図である。
【図１１】図１１は図１に示す携帯通信端末が実行するメール機能のＧＵＩのその他の一例を示す図解図である。
【図１２】図１２は図１に示す携帯通信端末が実行するメール機能のＧＵＩのさらにその他の一例を示す図解図である。
【図１３】図１３は図１に示す携帯通信端末が実行するブログ機能のＧＵＩの一例を示す図解図である。
【図１４】図１４は図１に示すＲＡＭのメモリマップの一例を示す図解図である。
【図１５】図１５は図１に示すプロセッサの新規アドレス作成処理を示すフロー図である。
【図１６】図１６は図１に示すプロセッサの新規メール処理を示すフロー図である。
【図１７】図１７は図１に示すプロセッサのブログアップ編集処理を示すフロー図である。
【図１８】図１８は図１に示すプロセッサのブログ処理を示すフロー図である。
【図１９】図１９は図１に示すＲＡＭに記憶されるメール制限事項の他の一例を示す図解図である。
【発明を実施するための形態】
【００４４】
図１を参照して、この実施例の携帯通信端末１０は携帯電話機の一種であり、CPUまたはコンピュータと呼ばれるプロセッサ２４を含む。このプロセッサ２４には、無線通信回路１４、Ａ／Ｄ１６、Ｄ／Ａ２０、キー入力装置２６、表示ドライバ２８、フラッシュメモリ３２、ＲＡＭ３４およびカメラ制御回路３６が接続される。また、無線通信回路１４にはアンテナ１２が接続され、Ａ／Ｄ１６にはマイク１８が接続され、Ｄ／Ａ２０にはアンプ（図示せず）を介して、スピーカ２２が接続される。さらに、表示ドライバ２８にはディスプレイ３０が接続され、カメラ制御回路３６にはイメージセンサ３８およびフォーカスレンズ４０の光学位置を制御するモータ（図示せず）が接続される。
【００４５】
プロセッサ２４は、携帯通信端末１０の全体制御を司る。記憶部であるＲＡＭ３４は、プロセッサ２４の作業領域（描画領域を含む）ないしバッファ領域として用いられる。フラッシュメモリ３２には、携帯通信端末１０の文字、画像、音声、音および映像のようなコンテンツのデータなどが記録される。
【００４６】
Ａ／Ｄ１６は、当該Ａ／Ｄ１６に接続されたマイク１８を通して入力される音声ないし音についてのアナログ音声信号を、デジタル音声信号に変換する。Ｄ／Ａ２０は、デジタル音声信号をアナログ音声信号に変換（復号）して、アンプを介してスピーカ２２に与える。したがって、アナログ音声信号に対応する音声ないし音がスピーカ２２から出力される。
【００４７】
キー入力装置２６は、通話キーおよび終話キーなどを備えるとともに、「０」−「９」キー、「＊」キーおよび「＃」キーを含むダイヤルキー２６ｈも備える。そして、使用者が操作したキーの情報（キーデータ）がプロセッサ２４に入力される。なお、ダイヤルキー２６ｈは、文字入力キーとしても機能し、数字、アルファベット、記号および平仮名などの文字を入力するために利用される。また、キー入力装置２６が備える他のキーについては後述するため、ここでの詳細な説明は省略する。
【００４８】
表示ドライバ２８は、プロセッサ２４の指示の下、当該表示ドライバ２８に接続されたディスプレイ３０の表示を制御する。なお、キー入力装置２６に含まれる各キーが操作されると、フィードバック処理が実行され、図示しないスピーカからフィードバック音が出力される。したがって、使用者は、フィードバック音を聞くことで、キー操作に対する操作感を得ることができる。
【００４９】
無線通信回路１４は、CDMA方式での無線通信を行うための回路である。たとえば、使用者がキー入力装置２６を用いて音声発信を指示すると、無線通信回路１４は、プロセッサ２４の指示の下、音声発信処理を実行し、アンテナ１２を介して音声発信信号を出力する。音声発信信号は、基地局および通信網（図示せず）を経て相手の電話機に送信される。そして、相手の電話機において着信処理が行われると、接続状態（通信可能状態）が確立され、プロセッサ２４は通話処理を実行する。
【００５０】
通常の通話処理について具体的に説明すると、相手の電話機から送られてきた変調音声信号（高周波信号）が、アンテナ１２によって受信される。受信された変調音声信号には、無線通信回路１４によって復調処理および復号処理が施される。これらの処理によって得られた受話音声信号は、Ｄ／Ａ２０によってアナログ音声信号に変換された後、スピーカ２２から出力される。一方、マイク１８を通して取り込まれた送話音声信号は、Ａ／Ｄ１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００５１】
また、相手の電話機からの発信信号がアンテナ１２によって受信されると、無線通信回路１４は、音声着信（着呼ともいう）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、図示しないスピーカから着信音（または、着信メロディ、着信音声）を出力させ、さらに図示しないモータを駆動（回転）させることで携帯通信端末１０を振動させる。使用者が、通話キーを用いて応答操作を行うと、無線通信回路１４は、プロセッサ２４の指示の下、音声着信処理を実行し、接続状態（通信可能状態）が確立され、プロセッサ２４は上述した通常の通話処理を実行する。
【００５２】
そして、通話可能状態に移行した後に終話キーによって通話終了操作が行われると、プロセッサ２０は、無線通信回路１４を制御して、通話相手に通話終了信号を送信する。そして、通話終了信号の送信後、プロセッサ２０は、通話処理を終了する。また、先に通話相手から通話終了信号を受信した場合も、プロセッサ２０は、通話処理を終了する。さらに、通話相手によらず、移動通信網から通話終了信号を受信した場合も、プロセッサ２０は通話処理を終了する。
【００５３】
なお、プロセッサ２４は、着信音を出力させるとともに、図示しないLEDを発光させることもある。また、ディスプレイ３０は表示装置と呼ばれることもある。さらに、発信信号および発信元情報を受信するアンテナ１２は受信部として機能する。
【００５４】
カメラ制御回路３６は、携帯通信端末１０で静止画像または動画像を撮影するための回路である。たとえば、キー入力装置２６に対してカメラ機能を実行する操作が行われると、プロセッサ２４は、カメラ制御回路３６およびイメージセンサ３８を撮影部として機能させ、カメラ機能を実行する。
【００５５】
たとえば、被写界の光学像はイメージセンサ３８に照射され、イメージセンサ３８の撮像エリアには、たとえばSXGA(1280×1024画素)に対応する受光素子が配置されており、撮像エリアでは、光電変換によって、被写界の光学像に対応する電荷つまりSXGAの生画像信号が生成される。なお、使用者は、画像データのサイズを、SXGAの他に、XGA(1024×768画素)および640×240サイズのなどに変更することができる。
【００５６】
そして、カメラ機能が実行されると、被写界のリアルタイム動画像つまりスルー画像をディスプレイ３０に表示するべく、プロセッサ２４は、カメラ制御回路３６に内蔵されるイメージセンサドライバを起動させ、露光動作および指定された読み出し領域に対応する電荷読み出し動作を、イメージセンサドライバに命令する。
【００５７】
イメージセンサドライバは、イメージセンサ３８の撮像面の露光と、当該露光によって生成された電荷の読み出しとを実行する。この結果、生画像信号が、イメージセンサ３８から出力される。また、出力された生画像信号は、カメラ制御回路３６に入力され、カメラ制御回路３６は、入力された生画像信号に対して、色分離、白バランス調整、YUV変換などの処理を施し、YUV形式の画像データを生成する。そして、YUV形式の画像データはプロセッサ２４に入力される。このとき、カメラ制御回路３６は、フォーカスレンズ４０を制御することで、被写界にピントを合わせる。
【００５８】
また、プロセッサ２４に入力されたYUV形式の画像データは、プロセッサ２４によってＲＡＭ３４に格納（一時記憶）される。さらに、格納されたYUV形式の画像データは、プロセッサ２４を介して、ＲＡＭ３４から表示ドライバ２８に与えられる。また同時に、プロセッサ２４は、間引き読み出し命令を表示ドライバ２８に発行する。そして、表示ドライバ２８は、プロセッサ２４から発行された間引き読み出し命令に従って、YUV形式の画像データをディスプレイ３０に出力する。これによって、被写界を表す低解像度（たとえば、320×240画素）のスルー画像がディスプレイ３０に表示される。
【００５９】
なお、YUV形式の画像データにおいて、Yは輝度を意味し、Uは青色から輝度を引いた色差を意味し、Vは赤色から輝度を引いた色差を意味する。つまり、YUV形式の画像データは、輝度信号(Y)データと青色の色差信号(U)データと赤色の色差信号(V)データとから構成される。
【００６０】
ここで、キー入力装置２６によって撮影操作が行われると、プロセッサ２４は、本撮影処理を実行する。つまり、プロセッサ２４は、イメージセンサ３８から出力されるSXGAの生画像信号に信号処理を施して、ＲＡＭ３４に一旦格納し、フラッシュメモリ３２に対する記録処理を実行する。記録処理が実行されると、プロセッサ２４を通してＲＡＭ３４から画像データが読み出される。そして、プロセッサ２４は、読み出した画像データを含む画像ファイルとしてフラッシュメモリ３２に記録する。さらに、プロセッサ２４は、図示しないスピーカから、本撮影処理が実行されていること通知する音を出力させる。なお、携帯通信端末１０にメモリカードが接続される場合、画像ファイルはメモリカードに記憶されてもよい。
【００６１】
また、携帯通信端末１０は、ネットワーク１００に接続されるサーバとのデータ通信を確立することで、複数の機能を実行することができる。たとえば、携帯通信端末１０は、メールサーバ１０２とのデータ通信を確立することで、メール機能を実行できる。また、携帯通信端末１０は、サーバが公開するデータを取得するために、ブラウザ機能を実行できる。たとえば、ブログサーバ１０４は、個人が投稿（アップロード）した日記を管理するブログサイトを公開している。使用者がブラウザ機能を実行してブログサイトのＵＲＬを指定すると、携帯通信端末１０はブログサーバ１０４が公開するブログサイトのデータを取得する。そして、ディスプレイ３０には使用者自身が投稿した日記または他人が投稿した日記などが表示される。
【００６２】
また、ブログサイトを表示するためのHTMLデータはブログサーバ１０４に記憶されているが、ブログサイトで表示される日記のデータはデータサーバ１０６に記憶されている。つまり、ブログサーバ１０４は、データサーバ１０６から日記のデータを取得してからHTMLデータを作成して、ブログサイトの情報を公開している。そのため、使用者が日記をアップロードすると、その日記のデータはデータサーバ１０６に記憶され、ブログサーバ１０４によって読み出されることでウェブ上に公開される。なお、ブログサーバ１０４およびデータサーバ１０６は、１つのサーバとして構成されてもよい。また、複数のデータサーバ１０６がブログサーバ１０４に接続されてもよい。つまり、ブログサーバ１０４およびデータサーバ１０６の構成は、図１に示す構成だけに限られない。
【００６３】
さらに、ブログサイトの管理者は、日記をアップロードするためのブログ専用アドレス（特定アドレス）を発行している。そのため、使用者は、発行されたブログ専用アドレスをメールの宛先に設定し、投稿する日記の内容をメールの本文に記述して、そのメールを送信することで、日記をアップロードすることができる。このように、本実施例の携帯通信端末１０は、メールを利用するアップロードサービスに対応している。
【００６４】
なお、携帯通信端末１０は、メール機能およびブラウザ機能の他に、アドレス帳機能およびブログ機能を有している。アドレス帳機能は、他の端末や電話機の電話番号やメールアドレスの情報から構成されるアドレスデータを管理するための機能である。また、ブログ機能は、アップロード用のメールを容易に作成するための機能である。さらに、本実施例では、カメラ機能によって撮影された画像が、日記のデータと共にアップロードされてもよい。
【００６５】
図２は、携帯通信端末１０の外観図である。図２を参照して、携帯通信端末１０は、ストレート型の形状をしており、平面矩形の筐体Ｃを有する。図示しないマイク１８は、筐体Ｃに内蔵され、内蔵されたマイク１８に通じる開口ＯＰ２は筐体Ｃの長さ方向一方の主面に設けられる。同じく、図示しないスピーカ２２は、筐体Ｃに内蔵され、内蔵されたスピーカ２２に通じる開口ＯＰ１は、筐体Ｃの長さ方向他方の主面に設けられる。そして、ディスプレイ３０は、モニタ画面が筐体Ｃの主面に露出するように取り付けられる。
【００６６】
キー入力装置２６が備える各種キーは、ダイヤルキー２６ｈの他に、上方向キー２６ａ、下方向キー２６ｂ、左方向キー２６ｃおよび右方向キー２６ｄを含む。さらに、キー入力装置２６は、確定キー２６ｅ、第１機能キー２６ｆおよび第２機能キー２６ｇなども備え、各キーは筐体Ｃの主面に設けられる。
【００６７】
なお、上方向キー２６ａ、下方向キー２６ｂ、左方向キー２６ｃおよび右方向キー２６ｄは、まとめてカーソルキーと呼ばれることもある。また、キー入力装置２６が備える通話キーおよび終話キーも筐体Ｃの主面に設けられる。
【００６８】
たとえば、使用者は、ディスプレイ３０を確認しながら、ダイヤルキー２６ｈを操作して電話番号を入力し、通話キーによって音声発信操作を行い、終話キーによって通話終了操作を行う。また、使用者は、カーソルキーおよび確定キー２６ｅを操作することで、GUIのメニューの選択や、確定を行う。さらに、使用者は、確定キー２６ｅ、第１機能キー２６ｆまたは第２機能キー２６ｇを操作することで、メール機能、アドレス帳機能およびブログ機能を実行することができる。そして、使用者は、終話キーを長押しすることで携帯通信端末１０の電源をオン／オフする。
【００６９】
なお、アンテナ１２、無線通信回路１４、Ａ／Ｄ１６、Ｄ／Ａ２０、プロセッサ２４、表示ドライバ２８、フラッシュメモリ３２、ＲＡＭ３４、カメラ制御回路３６、イメージセンサ３８およびフォーカスレンズ４０は筐体Ｃに内蔵されているため、図２では図示されない。
【００７０】
図３は、ディスプレイ３０の表示を示す図解図である。図３を参照して、ディスプレイ３０の表示領域は、状態表示領域６０および機能表示領域６２から構成される。状態表示領域６０には、アンテナ１２による電波受信状態および２次電池の残電池容量を示すアイコン（ピクトと言うこともある。）と、現在日時とが表示される。なお、現在時刻は、図示しないRTCが出力する時刻情報に基づく。
【００７１】
また、機能表示領域６２には、携帯通信端末１０で実行される機能に応じて様々な画像が表示され、実行される機能によって、ソフトキー６４，６６，６８が表示されることがある。また、このソフトキー６４，６６，６８は、キー入力装置２６が備えるキーと対応している。具体的には、ソフトキー６４は第１機能キー２６ｆと対応しており、ソフトキー６６は確定キー２６ｅと対応しており、ソフトキー６８は第２機能キー２６ｇと対応する。たとえば、ソフトキー６４を操作する場合には、使用者はメニューキー２２ｆを操作すればよい。
【００７２】
なお、ソフトキー６４，６６，６８は、実行される機能によって対応付けられる処理が異なる。つまり、参照番号である６４，６６，６８は同一であっても、名称およびアルファベットが異なれば、対応付けられる処理も異なる。よって、以下の説明では、各ソフトキーの参照番号は同一であっても、各ソフトキーの名称および添え字のアルファベットが異なる場合があることに留意されたい。
【００７３】
たとえば、図４を参照して、携帯通信端末１０の電源がオンにされ待機状態になると、機能表示領域６２には待機画面（待受画面）が表示される。また、機能表示領域６２には、ソフトキー６４，６６および６８のそれぞれに対応する、メールキー６４ａ、ブログキー６６ａおよびアドレスキー６８ａが表示される。そして、使用者は、第１機能キー２６ｆを操作することでメールキー６４ａを操作することができ、確定キー２６ｅを操作することでブログキー６６ａを操作することができ、第２機能キー２６ｆを操作することでアドレスキーを操作することができる。そして、携帯通信端末１０は、メールキー６４ａが操作されるとメール機能を実行し、ブログキー６６ａが操作されるとブログ機能を実行し、アドレスキー６８ａが操作されるとアドレス帳機能を実行する。
【００７４】
図５（Ａ），（Ｂ）を参照して、アドレス帳機能について説明する。たとえば、使用者がアドレスキー６８ａを操作するとアドレスデータの選択画面が表示される。この選択画面には、アドレス帳データを構成するアドレスデータに対応するアドレスアイコン７０、各アイコンを選択するためのカーソルＣｕ、選択キー６６ｂおよび新規キー６８ｂが含まれる。また、選択画面が表示されている状態では、カーソルキーの上下方向、つまり上方向キー２６ａおよび下方向キー２６ｂに対する操作に応じて、カーソルＣｕの位置が変化する。そして、選択キー６６ｂに対応する確定キー２６ｅが操作されると、カーソルＣｕによって選択されたアドレスアイコンに対応する、アドレスデータの詳細がディスプレイ３０に表示される。
【００７５】
さらに、新規キー６８ｂに対応する第２機能キー２６ｇが操作されると、新しいアドレスデータの登録処理が実行される。図５（Ｂ）を参照して、登録処理が実行されると登録画面がディスプレイ３０に表示される。この登録画面には、アドレスデータとして登録可能な各項目に対応して、氏名項目８０，電話項目８２、メール項目８４および備考項目８６などが含まれる。さらに、各項目を選択するためのカーソルＣｕ、切替キー６４ｂ、選択キー６６ｂおよび登録キー６８ｃが表示される。
【００７６】
たとえば、使用者がカーソルキーを操作することで氏名項目８０を選択した後に選択キー６６ｂを操作すると、文字入力が可能な状態になり、使用者はダイヤルキー２６ｈを利用して氏名を入力することができるようになる。そして、各項目を入力し終えた後に、使用者が登録キー６８ｃを操作すると、入力された項目を含むアドレスデータが新たに登録される。
【００７７】
ここで、本実施例では、アドレス帳機能を利用して、上記したブログ専用アドレスと、アップロードの制限事項とを関連付けて登録することができる。これにより、使用者はブログサイト毎に異なるアップロードの制限事項を覚える必要が無くなる。
【００７８】
たとえば、ＷＥＢ上では、複数のブログサイトが公開されており、ブログ専用アドレスはブログサイト毎に異なっている。また、制限事項が複数の項目から構成されるため、アップロード（ブログ）の制限事項はブログサイト毎に異なる。さらに、画像付の日記をアップロードする際には、画像のメタ情報（画像サイズ、データ容量、データ形式など）がアップロードの制限に違反しているかを事前に確認しなければならないが、携帯電話機などでは複数の操作をしなければ、使用者は画像の情報を確認できない。このように、複数のアップロードサービスを利用する使用者の負担は大きかった。
【００７９】
ところが、本実施例のように、ブログ専用アドレスとアップロードの制限事項とを関連付けて登録すれば、使用者は、複数の制限事項を覚える必要が無くなる。
【００８０】
まず、ブログ専用アドレスおよび制限事項の登録について説明する。使用者が切換キー６４ｂを操作すると、ディスプレイ３０に、図６（Ａ）に示すブログ専用アドレスの登録画面が表示される。ブログ専用アドレスの登録画面では、名称項目９０、ＵＲＬ項目９２、メール項目９４、最大文字数項目９６、形式指定項目９８、最大画像サイズ項目１１０、最大ファイル容量項目１１２および最大添付数項目１１４が表示され、さらにカーソルＣｕ、切換キー６４ｂ、選択キー６６ｂおよび登録キー６６ｃも表示される。
【００８１】
名称項目９０にはブログサイトの名称が入力される。ＵＲＬ項目９２にはブログサイトを指定するためのＵＲＬが入力される。メール項目９４にはブログ専用アドレスが入力される。最大文字数項目９６には一度にアップロードできる最大文字数が登録される。なお、本実施例では、全角で指定されているが、他の実施例では半角で指定されてもよい。
【００８２】
形式指定項目９８については、ＪＰＧ、ＰＮＧ、ＧＩＦ、３ｇ２、ｍｐ４およびＦＬＶに対応する、複数のラジオボタン９８ａ−９８ｆを利用して、アップロード可能なデータの形式を指定することができる。また、各ラジオボタンは、それぞれがデータ（ファイル）の拡張子と対応しており、ＪＰＧはＪＰＥＧ形式の画像データを示し、ＰＮＧはＰＮＧ形式の画像データを示し、ＧＩＦはＧＩＦ形式の画像データを示し、３ｇ２は３ＧＰＰ２（Third Generation Partnership Project 2）形式のデータを示し、ｍｐ４はｍｐ４形式のデータを示し、ＦＬＶはＦＬＶ形式のデータを示す。たとえば、アップロード可能なデータの形式がＪＰＥＧ形式であれば、使用者は、カーソルＣｕによってＪＰＧに対応するラジオボタン９８ａが選択された状態で選択キー６６ｂを操作し、ラジオボタン９８ａをオン（チェックあり）にすればよい。なお、ＪＰＧに対応するラジオボタン９８ａをオフ（チェックなし）にする場合には、カーソルＣｕによって選択された状態で、選択キー６６ｂを操作すればよい。
【００８３】
なお、他の実施例では、データの形式は、これらの形式に限られるものではない。また、指定できるデータの形式も６個に限られるものではない。さらに、他の項目と同様に、データの形式は、拡張子が直接入力されてもよい。
【００８４】
最大画像サイズ項目１１０には、アップロードできる最大画像サイズが入力される。最大ファイル容量項目１１２には、ブログ専用アドレスを利用してアップロードできる最大のデータ容量が入力される。最大添付数項目１１４には、一度にアップロードできるデータの数が入力される。
【００８５】
そして、通常アドレスの登録と同様に、使用者はカーソルキー、確定キー２６ｅ（選択キー６６ｂ）およびダイヤルキー２６ｈを操作することで、各項目に対して入力操作を行うことができる。
【００８６】
たとえば、制限事項が、最大文字数が「全角５００字」、アップロード可能なデータ形式が「JPG，FLV」、最大画像サイズが「６４０×２４０」、最大ファイル容量が「１０００ＫＢ（＝１ＭＢ）」、最大添付数が「３個」と規定される、ブログサイト「ＸＸＸ」（http://x○.com）のブログ専用アドレス「aaa@X○.com」が登録されると、登録画面が図６（Ｂ）に示すようになる。つまり、名称項目９０に「ＸＸＸ」が入力され、ＵＲＬ項目９２に「http://x○.com」が入力され、メール項目９４に「aaa@X○.com」が入力され、最大文字数項目９６に「５００字」が入力され、形式指定項目９８ではＪＰＧ９８ａおよびＦＬＶ９８ｆに対応するラジオボタン９８ａ，９８ｆがオンにされ、最大画像サイズ項目１１０に「６４０×２４０」が入力され、最大ファイル容量項目１１２に「１０００ＫＢ」が入力され、最大添付数項目１１４に「３個」が入力される。なお、制限事項の各数値は、ブログサイト毎に異なるため、他のブログサイトでは図６（Ｂ）に示す数値とは異なる。
【００８７】
以下、ブログ専用アドレスの登録画面が表示されている状態をブログモードと言い、通常アドレスの登録画面が表示されている状態を通常モードと言うことにする。そして、図６（Ａ），（Ｂ）の状態で、切換キー６４ｂが操作されると、図５（Ｂ）に示す通常アドレスの登録画面に戻る。つまり、切換キー６４ｂが操作される毎に、ブログモードと通常モードとが切り替わる。
【００８８】
次に、図６（Ｂ）の状態で、登録キー６８ｃが操作されると、入力された項目を含むアドレスデータがアドレス帳データの一部として登録される。そして、登録されたアドレスデータおよびアドレス帳データの構成について説明する。図７を参照して、アドレス帳データは、「氏名」、「電話番号」、「アドレス」、「備考」、「ＵＲＬ」、「最大文字数」、「形式」、「最大画像サイズ」、「最大ファイル容量」、「最大添付数」および「ブログ」などの列から構成されている。そして、１つのアドレスデータは１行毎に示される。そのため、「氏名」−「最大添付数」までの列はアドレスデータを構成する項目に対応しており、図５（Ｂ）または図６（Ａ）に示す登録画面で入力された内容がそのまま反映される。また、「ブログ」の列には、「０」または「１」が記録され、この「０」、「１」はブログ専用アドレスであるか否かを示す。たとえば、ブログモードで登録操作がされたアドレスデータには、「ブログ」の列において「１」が記録される。一方、通常モードで登録操作がされたアドレスデータには、「ブログ」の列において「０」が記録される。
【００８９】
たとえば、氏名が「●●」、電話番号が「090aaaa1111」、アドレスが「m@●.co.jp」および備考が「友人」である、アドレスデータでは「ブログ」の列が「０」であるため、通常のアドレスデータとして登録されたことが分かる。一方、ブログサイト名が「ＸＸＸ」および「ＹＹＹ」である、アドレスデータでは「ブログ」の列が「１」であるため、ブログ専用のアドレスデータとして登録されたことが分かる。このように、本実施例では、ブログ専用のアドレスデータと通常のアドレスデータとを、１つのアドレス帳データとして管理することができる。
【００９０】
なお、各アドレスデータにおいて、「−」が記述されている列は、何もデータが登録されていないことを示す。つまり、通常のアドレスデータには、「ＵＲＬ」、「最大文字数」、「形式」、「最大画像サイズ」、「最大ファイル容量」および「最大添付数」の列に対して記録されることは無く、ブログ専用のアドレスデータには、「電話番号」および「備考」などの列に対して記録されることは無い。
【００９１】
続いて、メール制限事項について説明する。メール制限事項とは、携帯通信端末１０の通信サービスを提供する事業主などが決めた、メールの送信に関する制限事項である。図８を参照して、本実施例のメール制限事項は、最大文字数が全角で５０００文字であり、最大ファイル容量が２０００ＫＢ（＝２ＭＢ）であり、最大添付数が５個である。なお、メール制限事項データは、ＲＡＭ３４に格納されており、携帯通信端末１０のファームウェアアップデートなどによって更新されることがある。
【００９２】
次に、ブログ専用アドレスを利用して、日記をブログサイトにアップロードする手順を説明する。図９（Ａ）−（Ｃ）を参照して、図４に示すメールキー６４ａが操作されると、メール機能のメニュー画面がディスプレイ３０に表示される。このメニュー画面には、新規作成キー１２０、受信ボックスキー１２２および送信ボックスキー１２４が含まれると共に、カーソルＣｕおよび選択キー６６ｂも含まれる。そして、カーソルＣｕによって新規作成キー１２０が選択された状態で、選択キー６６ｂが操作されると、図９（Ｂ）に示すメール作成画面がディスプレイ３０に表示される。
【００９３】
図９（Ｂ）を参照して、メール編集画面には、宛先入力部１３０、題名入力部１３２、添付データ指定部１３４および本文入力部１３６が表示される。さらに、メール編集画面には、各入力部を選択するカーソルＣｕ、送信キー６４ｃ、選択キー６６ｂおよびメニューキー６８ｄも表示される。宛先入力部１３０にはメールの送信先を示すメールアドレスが入力される。題名入力部１３２にはメールの題名が入力される。添付データ指定部１３４はメールに添付されたデータ名を表示する。本文入力部１３６にはメールの本文が入力される。また、送信キー６４ｃが操作されると、編集中のメールを送信する処理が実行される。さらに、メニューキー６８ｄが操作されると、メールの保存などに関するメニューが表示される。
【００９４】
なお、日記をアップロードする際には、題名入力部１３２に入力された文字列が日記の題名になり、本文入力部１３６に入力された文字列が日記の内容となる。そして、添付データ指定部１３４で示されるデータは、日記の一部としてアップロードされる。
【００９５】
ここで、宛先入力部１３０がカーソルＣｕによって選択された状態で、選択キー６６ｂが操作されると、アドレス帳機能が実行されたときと同じように、アドレスデータの選択画面が表示される。図９（Ｃ）を参照して、選択画面には、通常のアドレスデータに対応するアドレスアイコン７０およびブログ専用のアドレスデータに対応するアドレスアイコン７２が表示される。また、アドレスアイコン７２には、ブログ専用のアドレスデータとして識別を容易にするために、識別アイコンｉｃが付される。そして、アドレスアイコン７２がカーソルＣｕによって選択された状態で、選択キー６６ｂが操作されると、アドレスアイコン７２に対応するアドレスデータが読み出される。さらに、読み出されたアドレスデータに含まれるメールアドレスがメールの宛先として設定される。
【００９６】
たとえば、図９（Ｃ）に示す「ＸＸＸ」と書かれたアドレスアイコン７２が選択されると、図７に示すアドレス帳データから、「ＸＸＸ」のアドレスデータが読みだされ、読み出されたアドレスデータがＲＡＭ３４のバッファに格納される。そして、バッファに格納されたアドレスデータからメールアドレスが読み出され、メールの宛先として設定される。さらに、図１０を参照して、宛先入力部１３０には、「ＸＸＸ」のアドレスデータを表す文字列「ＸＸＸ」が表示される。
【００９７】
なお、ＲＡＭ３４のバッファに格納されたアドレスデータにおいて、「ブログ」の列に「１」が記録されていれば、アドレスデータに含まれる制限事項が、別のバッファに格納される。
【００９８】
このように、使用者は、既存のアドレス帳機能を利用して、ブログ専用アドレスをメールの宛先に設定できる。
【００９９】
続いて、ブログ専用アドレスが宛先に設定されたメールに対して、題名が「今日の出来事」および本文が「…」が入力され、さらに画像データ「ｙｙｙ．ｊｐｇ」が添付されると、図１１（Ａ）に示すような表示となる。つまり、題名入力部１３２は「今日の出来事」を表示し、添付データ指定部１３４は「ｙｙｙ．ｊｐｇ」を表示し、本文入力部１３６は「…」を表示する。
【０１００】
ここで、送信キー６４に対応する第１機能キー２６ｆが操作されると、プロセッサ２４は、送信されるメールが制限事項に違反しているか否かを判断する。具体的には、本文入力部１３６に入力された文字数がアップロードにおける最大文字数と比較され、添付されたデータにおいてデータの形式、データのサイズおよびデータ容量がそれぞれ判断され、さらに添付されたデータの数が判断される。そして、たとえば文字数が違反していれば、図１１（Ｂ）に示すポップアップ１４０ａが表示される。
【０１０１】
図１１（Ｂ）を参照して、機能表示領域６２にはポップアップ１４０ａが表示される。また、ポップアップ１４０ａには、制限事項に違反している理由およびメールの再編集を行うか否かを使用者に問う文字列が書かれる。さらに、ポップアップ１４０ａには、再編集を承諾する承諾キー１４２、再編集を拒絶する拒絶キー１４４およびこれらのキーを選択するためのカーソルＣｕが描画される。そして、承諾キー１４２が選択された状態で確定キー２６ｅが操作されると、つまり再編集が承認されると、ディスプレイ３０の表示は図１１（Ａ）に示す画面に戻る。このように、制限事項に違反した理由が通知されるため、使用者は容易にメールを修正できる。
【０１０２】
一方、拒絶キー１４４が選択された状態で確定キー２６ｅが操作されると、図１１（Ｃ）に示すポップアップ１４０ｂが表示される。図１１（Ｃ）を参照して、ポップアップ１４０ｂには、編集中のメールを保存するか否かを使用者に問う文字列が書かれ、さらに承諾キー１４２、拒絶キー１４４およびカーソルＣｕが描画される。そして、承諾キー１４４がカーソルＣｕによって選択された状態で、確定キー２６ｅが操作されると、編集中のメール、つまりアップロード用に作成されたメールが保存され、処理が終了する。一方、拒絶キー１４６がカーソルＣｕによって選択された状態で、確定キー２６ｅが操作されると、編集中のメールのデータが削除され、処理が終了する。
【０１０３】
また、アップロードの制限事項に違反していなければ、送信されるメールがメール制限事項と比較される。そして、メールの本文に書かれた文字数、添付されたデータのデータサイズおよび添付されたデータの数が、メール制限事項に違反していないかが判断される。そして、たとえばメールの本文に書かれた文字数が違反していれば、図１１（Ｄ）に示すポップアップ１４０ｃが表示される。
【０１０４】
図１１（Ｄ）を参照して、ポップアップ１４０ｃには、メール制限事項に違反している理由およびブラウザ機能を起動してアップロードするか否かを問う文字列が書かれる。さらに、ポップアップ１４０ｃ内には、承諾キー１４２、拒絶キー１４４およびカーソルＣｕが描画される。そして、カーソルＣｕによって承諾キー１４２が選択された状態で、確定キー２６ｅが操作されると、プロセッサ２４は、メールの本文に書かれた文字列をコピーして、ブラウザ機能を実行する。さらに、プロセッサ２４はブログ専用アドレスに関連付けて登録されたＵＲＬが示すサイトをディスプレイ３０に表示する。つまり、メールによってアップロードができなくても、アップロードするためのブログサイトが表示されるため、使用者は日記をアップロードすることができる。
【０１０５】
一方、カーソルＣｕによって拒絶キー１４４が選択された状態で、確定キー２６ｅが操作されると、図１１（Ｃ）に示すポップアップ１４０ｂが表示される。つまり、編集中のメールを保存するか否かを、使用者に確認する。なお、ブログ専用アドレスにＵＲＬが関連付けて登録されていなければ、初期設定されたサイトがディスプレイ３０に表示される。
【０１０６】
このように、本実施例では、メールが送信される前にアップロードの制限事項およびメール制限事項の２つが確認されるため、本願発明では、アップロードできないメールの送信をより確実に防止できる。
【０１０７】
ここで、メールアドレスが直接入力された場合について説明する。図９（Ｃ）を参照して、アドレスデータの選択画面において、入力キー６８ｅが操作されると、図１２（Ａ）に示す入力画面が表示される。入力画面には、現在の入力位置を示すカーソルＦＣおよび決定キー６６ｃが表示される。
【０１０８】
たとえば、使用者がダイヤルキー２６ｈを利用して、「bbb@Z○.com」の文字列を入力し、決定キー６６ｃを操作すると、「bbb@Z○.com」がメールの宛先として設定される。また、プロセッサ２４は、直接入力された文字列と一致するアドレスを含むアドレスデータを、アドレス帳データから特定する。そして、アドレスデータが特定された場合には、特定されたアドレスデータをバッファに格納し、図１２（Ｂ）に示すように、特定されたアドレスデータを表す文字列「ＹＹＹ」が宛先入力部１３０に表示される。
【０１０９】
また、バッファに格納されたアドレスデータがブログ専用のアドレスデータであれば、アドレスデータに含まれる制限事項が別のバッファに格納される。このように、ブログ専用アドレスが直接入力されても、アドレスデータとして予め登録されていれば、制限事項を読み出すことができる。
【０１１０】
加えて、ブログ機能についても説明する。図４に示すブログキー６６ａが操作されると、図１３に示すブログサイト選択画面が表示される。ブログサイト選択画面では、アドレス帳データから、「ブログ」の列に「１」が設定されたブログ専用のアドレスデータが抽出され、抽出されたアドレスデータに対応するブログアイコンが表示される。たとえば、図７に示すアドレス帳データであれば、ブログサイト「ＸＸＸ」に対応するブログアイコン１５０およびブログサイト「ＺＺＺ」に対応するブログアイコン１５２が表示される。たとえば、ブログアイコン１５０がカーソルＣｕによって選択された状態で、選択キー６６ｂが操作されると、図１０に示すメール編集画面が表示される。つまり、選択されたブログアイコンに対応するアドレスデータがバッファに格納され、格納されたアドレスデータに含まれるメールアドレスが宛先に設定されたメールが作成される。
【０１１１】
このように、ブログ専用のアドレスデータが一覧的に表示されるため、使用者は、アップロード用のメールを容易に作成できるようになる。
【０１１２】
図１４はＲＡＭ３４のメモリマップ３００を示す図解図である。ＲＡＭ３４のメモリマップ３００には、プログラム記憶領域３０２およびデータ記憶領域３０４が含まれる。また、プログラムおよびデータの一部は、フラッシュメモリ３２から一度に全部または必要に応じて部分的かつ順次的に読みだされ、ＲＡＭ３４に記憶されてからプロセッサ２４によって処理される。
【０１１３】
プログラム記憶領域３０２には、携帯通信端末１０を動作させるためのプログラムが記憶されている。たとえば、携帯通信端末１０を動作させるためのプログラムは、新規アドレス作成プログラム３１０、新規メール編集プログラム３１２、ブログ機能プログラム３１４およびブログアップ編集プログラム３１６などから構成されている。
【０１１４】
新規アドレス作成プログラム３１０は、新しいアドレスデータを作成するためのプログラムである。また、本実施例では、ブログ専用アドレスおよびアップロードの制限事項をＲＡＭ３０に登録するためのプログラムでもある。新規メール編集プログラム３１２は、新規メールを編集し、送信操作を受け付けるためのプログラムである。ブログ機能プログラム３１４は、アップロード用のメールを容易に作成するためのプログラムである。ブログアップ編集プログラム３１６は、宛先にブログ専用アドレスが設定されたメールに対する、編集および送信制限を行うためのプログラムである。
【０１１５】
なお、図示は省略するが、携帯通信端末１０を動作させるためのプログラムには、文字入力を行うためのプログラム、入力された文字数をカウントするプログラム、文字列をコピーするためのプログラム、コピーした文字列を挿入するためのプログラム、メールを送信するためのプログラム、アドレス帳データを管理するためのプログラムおよびブラウザ機能を制御するためのプログラムなどが含まれる。
【０１１６】
続いて、データ記憶領域３０４には、アドレス登録バッファ３３０、メール作成バッファ３３２、メール情報バッファ３３４、宛先アドレスバッファ３３６、制限事項バッファ３３８およびコピーバッファ３４０が設けられる。また、データ記憶領域３０４には、アドレス帳データ３４２、メール制限事項データ３４４およびＧＵＩデータ３４６が記憶されるとともに、ブログフラグ３４８が設けられる。
【０１１７】
アドレス登録バッファ３３０は、作成中のアドレスデータが一時的に記憶されるバッファである。メール作成バッファ３３２は、編集中のメールが一時的に記憶されるバッファである。そのため、メール作成バッファ３３２は、宛先、題名および本文の文字列が一時的に記憶されるとともに、添付されたデータも一時的に記憶される。メール情報バッファ３３４は、編集中のメールに関する情報、つまり本文の文字数や、添付されたデータのメタ情報（画像サイズ、データ容量、データの形式）などが一時的に記憶される。なお、本文の文字数は、文字が入力される度に更新される。
【０１１８】
宛先アドレスバッファ３３６は、メールの宛先として設定されたメールアドレスを含むアドレスデータが一時的に記憶されるバッファである。制限事項バッファ３３８は、ブログ専用アドレスが宛先に設定された場合に、宛先アドレスバッファ３３６に一時記憶（格納）されているアドレスデータから抽出された制限事項が、一時的に記憶されるバッファである。コピーバッファ３４０は、コピー処理が実行された際に、コピーされたデータが一時的に記憶されるバッファである。
【０１１９】
アドレス帳データ３４２は、複数のアドレスデータから構成されるデータであり、ここでは通常アドレスデータ３４２ａおよびブログ専用アドレスデータ３４２ｂから構成される。図７を参照して、たとえば、通常アドレスデータ３４２ａは「ブログ」の列に「０」が記録されている「●●」のアドレスデータを含む。また、ブログ専用アドレスデータ３４２は「ブログ」の列に「１」が記録されている「ＸＸＸ」のアドレスデータを含む。
【０１２０】
メール制限事項データ３４４は、メールの送信に関する制限事項のデータであり、図８に示すように、最大文字数、最大ファイル容量および最大添付数の値から構成される。ＧＵＩデータ３４６は、ディスプレイ３０に表示されるＧＵＩ、ポップアップとして表示される文字列および各種ソフトキーの画像などから構成されるデータである。
【０１２１】
ブログフラグ３４８は、ブログモードであるか否かを判断するためのフラグである。たとえば、ブログフラグ３４８は１ビットのレジスタで構成される。また、ブログフラグ３４８がオン（成立）にされると、レジスタにはデータ値「１」が設定される。一方、ブログフラグ３４８がオフ（不成立）にされると、レジスタにはデータ値「０」が設定される。なお、ブログフラグ３４８は、切換キー６４ｂ（図５，図６参照）が操作される毎に、オン／オフが切り替わる。
【０１２２】
なお、図示は省略するが、データ記憶領域３０４には、待受画像のデータなどが記憶されると共に、携帯通信端末１０の動作に必要なカウンタや、フラグも設けられる。
【０１２３】
プロセッサ２４は、Android（登録商標）およびREXなどのLinux（登録商標）ベースのOSや、その他のOSの制御下で、図１５に示す新規アドレス作成処理、図１６に示す新規メール編集処理、図１７に示すブログアップ編集処理および図１８に示すブログ機能処理などを含む、複数のタスクを並列的に処理する。
【０１２４】
図１５は新規アドレス作成処理のフロー図である。たとえば、使用者が図５（Ａ）で示される新規キー６８ｂを操作すると、プロセッサ２４はステップＳ１で通常アドレスの登録画面を表示する。つまり、図５（Ｂ）に示す登録画面をディスプレイ３０に表示する。ステップＳ３では、項目入力処理を実行する。つまり、ステップＳ３では、カーソルキー、確定キー２６ｅ（選択キー６６ｂ）およびダイヤルキー２６ｈに対する操作に応じて、各項目に対する入力処理を実行する。たとえば、ステップＳ３では、カーソルキーに対する操作に応じてカーソルＣｕを移動させる処理、確定キー２６ｅに対する操作に応じて選択された項目を入力可能にする処理およびダイヤルキー２６ｈに対する操作に応じて文字を入力する処理が実行される。なお、ステップＳ３の項目入力処理で入力された情報は、メール作成バッファ３３２に格納される。
【０１２５】
続いて、ステップＳ５では、登録キー６８ｃが操作されたか否かを判断する。つまり、ステップＳ５では、第２機能キー２６ｇが操作されたか否かを判断する。ステップＳ５で“ＹＥＳ”であれば、つまり登録キー６８ｃに対応する第２機能キー２６ｇが操作されていれば、ステップＳ１９に進む。一方、ステップＳ５で“ＮＯ”であれば、つまり登録キー６８ｃが操作されていなければ、ステップＳ７で切換キー６４ｂが操作されたか否かを判断する。つまり、ステップＳ７では、切換キー６４ｂに対応する第１機能キー２６ｆが操作されたか否かを判断する。ステップＳ７で“ＮＯ”であれば、つまり切換キー６４ｂおよび登録キー６８ｃが操作されていなければ、ステップＳ３に戻る。
【０１２６】
また、ステップＳ７で“ＹＥＳ”であれば、つまり切換キー６４ｂに対応する第１機能キー２６ｆが操作されれば、ステップＳ９で今のモードがブログモードか否かを判断する。つまり、ステップＳ０では、ブログフラグ３４８がオンであるか否かを判断する。ステップＳ９で“ＮＯ”であれば、つまり今のモードが通常モードであれば、ステップＳ１１でブログフラグ３４８をオンにし、ステップＳ１３でブログ専用アドレスの登録画面を表示する。つまり、プロセッサ２４は、ブログモードを設定し、図６（Ａ）に示す登録画面をディスプレイ３０に表示する。そして、ステップＳ１３の処理が終了すれば、ステップＳ３に戻る。
【０１２７】
また、ステップＳ９で“ＹＥＳ”であれば、つまり今のモードがブログモードであれば、ステップＳ１５でブログフラグ３４８をオフにし、ステップＳ１７で通常アドレスの登録画面を表示させる。つまり、プロセッサ２４は、通常モードを設定し、図５（Ｂ）に示す登録画面をディスプレイ３０に表示する。そして、ステップＳ１７の処理が終了すれば、ステップＳ３に戻る。
【０１２８】
このように、登録キー６８ｃが操作されるまでは、プロセッサ２４は、モードの切り替えを行ったり、各項目に対する入力処理を実行したりする。そして、登録キー６８ｃが操作されると、プロセッサ２４はステップＳ１９で必須項目が入力されているか否かを判断する。たとえば、ブログ専用アドレスを登録する場合には、プロセッサ２４はブログサイトの名称またはブログ専用アドレスのいずれか一方が入力されているか否かを判断する。ステップＳ１９で“ＮＯ”であれば、つまり必須項目が入力されていなければ、ステップ２１でエラーメッセージを表示する。たとえば、ステップＳ２１では、「必須項目が入力されていません」の文字列が書かれたポップアップがディスプレイ３０に表示される。
【０１２９】
また、ステップＳ１９で“ＹＥＳ”であれば、つまりブログサイトの名称またはブログ専用アドレスのいずれか一方が入力されていれば、ステップＳ２３でブログフラグ３４８がオンであるか否かを判断する。つまり、ステップＳ２３では、ブログモードが設定された状態でアドレスデータの登録操作がされたか否かを判断する。ステップＳ２３で“ＹＥＳ”であれば、つまりブログモードが設定された状態でアドレスデータの登録操作がされれば、ステップＳ２５でブログ専用アドレスとして登録する。つまり、プロセッサ２４は、アドレス登録バッファ３３０に格納されるデータを読み出し、「ブログ」の列に「１」を設定する。そして、読み出したデータは、ブログ専用アドレスデータ３４２ｂを構成するアドレスデータとしてＲＡＭ３４に記録される。一方、ステップＳ２３で“ＮＯ”であれば、つまり通常モードで登録キー６４ｂが操作されていれば、アドレス登録バッファ３３０から読み出されたデータにおいて、「ブログ」の列に「０」を設定する。さらに、読み出されたデータは、通常アドレスデータ３４２ａを構成するアドレスデータとして記録される。
【０１３０】
そして、ステップＳ２５またはステップＳ２７の処理が終了すれば、プロセッサ２４は新規アドレス作成処理を終了する。
【０１３１】
図１６は新規メール編集処理のフロー図である。たとえば、使用者が図９（Ａ）で示される新規作成キー１２０が操作され、図９（Ｂ）に示すメール編集画面が表示されると、プロセッサ２４は、ステップＳ４１でアドレス入力操作か否かを判断する。つまり、カーソルＣｕによって宛先入力部１３０が選択された状態で、選択キー６６ｂが操作されたか否かを判断する。ステップＳ４１で“ＹＥＳ”であれば、つまりアドレス入力操作であれば、ステップＳ４７に進む。一方、ステップＳ４１で“ＮＯ”であれば、つまりアドレス入力操作がされなければ、ステップＳ４３で入力操作か否かを判断する。つまり、ステップＳ４３では題名または題名の入力操作、またはメールにデータを添付する操作がされたか否かを判断する。具体的には、題名入力部１３２、添付データ指定部１３４および本文入力部１３６のいずれか１つがカーソルＣｕに選択された状態で、選択キー６６ｂが操作されたか否かを判断する。
【０１３２】
ステップＳ４３で“ＮＯ”であれば、つまり入力操作として選択キー６６ｂが操作されていなければ、ステップＳ４１に戻る。一方、ステップＳ４３で“ＹＥＳ”であれば、つまり題名入力部１３２、添付データ指定部１３４および本文入力部１３６のいずれか１つがカーソルＣｕに選択された状態で、選択キー６６ｂが操作されれば、ステップＳ４５で入力処理を実行する。たとえば、題名入力部１３２が選択されていれば、ステップＳ４５ではメールの題名に対する入力処理が実行される。そして、ステップＳ４５の処理が終了すれば、ステップＳ４１に戻る。なお、入力処理で入力された文字列および添付されたデータは、メール作成バッファ３３２に格納される。さらに、カウントされた文字数および添付データのメタ情報は、メール情報バッファ３３４に格納される。
【０１３３】
また、メール編集画面が表示された状態で、アドレス入力操作がされると、ステップＳ４７でアドレスデータの選択画面を表示する。たとえば、プロセッサ２４は、図９（Ｃ）に示すように、アドレスデータに対応するアドレスアイコン７０，７２をディスプレイ３０に表示する。続いて、ステップＳ４９では、アドレスが選択されたか否かを判断する。たとえば、ステップＳ４９では、アドレスデータに対応するアドレスアイコン７２などがカーソルＣｕに選択された状態で、選択キー６６ｂが操作されたか否かを判断する。ステップＳ４９で“ＹＥＳ”であれば、つまりアドレスデータに対応するアドレスアイコンが選択されれば、ステップＳ５１で、選択されたアドレスデータを宛先に設定し、ステップＳ６１に進む。たとえば、アドレスアイコン７２が選択されていれば、アドレスアイコン７２に対応する「ＸＸＸ」のアドレスデータが、宛先アドレスバッファ３３６に一時記憶される。そして、宛先アドレスバッファ３３６に一時記憶されたアドレスデータからメールアドレスが読み出されて、宛先に設定される。
【０１３４】
また、ステップＳ４９で“ＮＯ”であれば、表示されるアドレスアイコン７０，７２などが選択されなければ、ステップＳ５３で直接入力か否かを判断する。つまり、ステップＳ５３では、メールアドレスの文字列を直接入力するための操作がされたか否かを判断する。具体的には、プロセッサ２４は、図９（Ｃ）に示す入力キー６８ｅが操作されたか否かを判断する。ステップＳ５３で“ＮＯ”であれば、つまり選択キー６６ｂおよび入力キー６８ｅが操作されなければ、ステップＳ４９に戻る。一方、ステップＳ５３で“ＹＥＳ”であれば、つまり入力キー６８ｅが操作されば、ステップＳ５５で文字入力処理を実行する。つまり、文字入力処理が実行されると、ダイヤルキー２６ｈに対するキー操作に応じて、文字列がディスプレイ３０に表示される。
【０１３５】
続いて、ステップＳ５７では、入力された文字列に対応するアドレスデータを特定する。つまり、ステップＳ５７では、アドレス帳データにおける「アドレス」の列において、ステップＳ５５で入力された文字列を検索し、一致するメールアドレスを含むアドレスデータを特定する。たとえば、図７のアドレスデータおよび図１２（Ａ）の編集画面を参照して、入力された文字列が「bbb@Z○.com」であれば、「ＹＹＹ」のアドレスデータが特定される。なお、ステップＳ５７の処理を実行するプロセッサ２４は特定部として機能する。
【０１３６】
続いて、ステップＳ５９では、特定されたアドレスデータを宛先に設定する。つまり、プロセッサ２４は、特定されたアドレスデータを宛先アドレスバッファ３３６に格納する。さらに、格納されたアドレスデータに含まれるメールアドレスをメールの宛先に設定する。なお、ステップＳ５１，Ｓ５９の処理を実行するプロセッサ２４は設定部として機能する。また、特にステップＳ５９の処理を実行するプロセッサ２４は入力アドレス設定部として機能する。
【０１３７】
続いて、ステップＳ６１では、編集画面を表示する。たとえば、図１０または図１２（Ｂ）に示すように、宛先入力部１３０にアドレスデータ名が表示された編集画面がディスプレイ３０に表示される。続いて、ステップＳ６３では、ブログ専用アドレスか否かを判断する。つまり、プロセッサ２４は、宛先アドレスバッファ３３６に格納されるアドレスデータにおいて、「ブログ」の列に「１」が記録されているか否かを判断する。ステップＳ６３で“ＹＥＳ”であれば、つまりブログ専用アドレスがメールの宛先に設定されていれば、ステップＳ６５でブログアップ編集処理を実行する。なお、ブログアップ編集処理については、図１７に示すフロー図を用いて後述するため、ここでの詳細な説明は省略する。
【０１３８】
一方、ステップＳ６３で“ＮＯ”であれば、つまりメールの宛先に設定されたアドレスが通常アドレスであれば、ステップＳ６７で通常メール編集処理を実行する。そして、ステップＳ６５またはステップＳ６７の処理が終了すれば、プロセッサ２４は新規メール編集処理を終了する。
【０１３９】
図１７は、ブログアップ編集処理のフロー図である。たとえば、ステップＳ６５の処理が実行されると、プロセッサ２４はステップＳ８１でブログの制限事項を取得する。つまり、ステップＳ８１では、宛先アドレスバッファ３３６に格納されるアドレスデータから、最大文字数、データの形式、最大画像サイズ、最大ファイル容量および最大添付数の情報を読み出し、制限事項バッファ３３８に格納する。
【０１４０】
続いて、ステップＳ８３では、送信操作か否かを判断する、つまり、送信キー６４ｃに対応する第１機能キー２６ｆが操作されたか否かを判断する。ステップＳ８３で“ＮＯ”であれば、つまり送信操作がされなければ、ステップＳ８５で、ステップＳ４３と同様に、入力操作か否かを判断する。ステップＳ８５で“ＮＯ”であれば、つまり送信操作および入力操作が行われなければ、ステップＳ８３に戻る。一方、ステップＳ８５で“ＹＥＳ”であれば、つまり入力操作がされれば、ステップＳ８７で、ステップＳ４５と同様、入力処理を実行し、ステップＳ８３に戻る。
【０１４１】
また、ステップＳ８３で“ＹＥＳ”であれば、つまり送信操作がされれば、ステップＳ８９でブログの制限事項に違反しているか否かを判断する。つまり、プロセッサ２４は、メール情報バッファ３３４から本文の文字数、添付されたデータの形式、サイズ、容量および添付されたデータの数を読み出す。そして、プロセッサ２４は、読み出した情報を制限事項バッファ３４０に格納された情報と比較することで、送信されるメールがブログの制限事項に違反しているか否かを判断する。なお、ステップＳ８９の処理を実行するプロセッサ２４は判断部として機能する。
【０１４２】
ステップＳ８９で“ＮＯ”であれば、つまりブログの制限事項に違反していなければ、ステップＳ１０１に進む。一方、ステップＳ８９で“ＹＥＳ”であれば、つまりブログの制限事項に違反していれば、ステップＳ９１でメッセージを表示する。たとえば、プロセッサ２４は、図１１（Ｂ）に示すように、制限事項に違反している理由およびメールの再編集を行うかを問う文字列が書かれた、ポップアップ１４０ａをディスプレイ３０に表示する。なお、ステップＳ９１の処理を実行するプロセッサ２４は通知部として機能する。
【０１４３】
続いて、ステップＳ９３では、再編集するか否かを判断する。つまり、ポップアップ１４０ａ内に描画されている承諾キー１４２が、カーソルＣｕによって選択された状態で、確定キー２６ｅが操作されたか否かを判断する。ステップＳ９３で“ＹＥＳ”であれば、つまり承諾キー１４２が選択された状態で確定キー２６ｅが押され、再編集が承諾されれば、ステップＳ８３に戻る。なお、ディスプレイ３０の表示は、ポップアップ１４２ａが消え、図１１（Ａ）に示すような状態に戻る。
【０１４４】
また、ステップＳ９３で“ＮＯ”であれば、つまり拒絶キー１４４がカーソルＣｕによって選択された状態で、確定キー２６ｅが操作されれば、ステップＳ９５で新規メールを保存するか否かを判断する。たとえば、プロセッサ２４は、図１１（Ｃ）に示すように、新規メールを保存するかを問う文字列が書かれたポップアップ１４０ｂをディスプレイ３０に表示する。そして、プロセッサ２４は、ステップＳ９５で、ポップアップ１４０ｂに描画された承諾キー１４２が操作されたか否かを判断する。ステップＳ９５で“ＹＥＳ”であれば、つまり承諾キー１４２が選択された状態で確定キー２６ｅが操作されば、ステップＳ９７で新規メールを保存する。つまり、プロセッサ２４は、メール作成バッファ３３２に一時記憶されるデータを、未送信メールデータとしてＲＡＭ３４に記憶させる。そして、ステップＳ９９で、新規メールを消去して、ブログアップ編集処理を終了する。つまり、ステップＳ９９では、メール作成バッファ３３２の内容が消去される。
【０１４５】
なお、ステップＳ９５で“ＮＯ”であれば、つまり拒絶キー１４４が選択された状態で確定キー２６ｅが操作されれば、新規メールが保存されることなく、新規メールのデータが消去される。
【０１４６】
また、送信されるメールがブログの制限事項に違反していなければ、プロセッサ２４は、ステップＳ１０１でメール制限事項に違反しているか否かを判断する。つまり、プロセッサ２４は、ステップＳ８９と同様に、メール情報バッファ３３４からメールの情報を読み出す。そして、プロセッサ２４は、メール制限事項データ３４４と比較することで、送信されるメールが、メール制限事項に違反しているか否かを判断する。なお、ステップＳ１０１の処理を実行するプロセッサ２４はメール判断部として機能する。
【０１４７】
ステップＳ１０１で“ＮＯ”であれば、つまり送信するメールがブログの制限事項およびメール制限事項のどちらにも違反していなければ、ステップＳ１１１でメール送信処理を実行し、ブログアップ編集処理を終了する。つまり、プロセッサ２４は、ステップＳ１１１でメール作成バッファ３３２に格納されるメールのデータを、メールサーバ１０２に送信する。これにより、ブログサイトに日記がアップロードされる。なお、ステップＳ１１１の処理を実行するプロセッサ２４は送信部として機能する。
【０１４８】
一方、ステップＳ１０１で“ＹＥＳ”であれば、つまりメールがメール制限事項に違反していれば、ステップＳ１０３でメッセージを表示する。たとえば、プロセッサ２４は、図１１（Ｄ）に示すように、メール制限事項に違反している理由およびブラウザ機能を実行するかを問う文字列が書かれたポップアップ１４０ｃをディスプレイ３０に表示する。なお、ステップＳ１０３の処理を実行するプロセッサ２４はメール違反通知部として機能する。
【０１４９】
続いて、ステップＳ１０５では、ブラウザ機能の実行指示がされたか否かを判断する。たとえば、プロセッサ２４は、ポップアップ１４０ｃ内に表示される承諾キー１４２が、カーソルＣｕによって選択された状態で、確定キー２６ｅが操作されたか否かを判断する。
【０１５０】
ステップＳ１０５で“ＮＯ”であれば、たとえば拒絶キー１４４が選択された状態で確定キー２６ｅが操作されれば、ステップＳ９５に進む。つまり、プロセッサ２４は、ブラウザ機能を実行することなく、ステップＳ９５で編集中のメールを保存するか否かを判断する。一方、ステップＳ１０５で“ＹＥＳ”であれば、つまり承諾キー１４２が選択された状態で、確定キー２６ｅが操作されれば、ステップＳ１０７で本文をコピーする。つまり、プロセッサ２４は、メール作成バッファ３２２に記憶されている、メール本文の文字列をコピーバッファ３４０に格納する。
【０１５１】
続いて、ステップＳ１０９では、ブラウザ機能を実行し、ブログサイトをディスプレイ３０に表示し、ステップＳ９９に進む。つまり、プロセッサ２４は、宛先アドレスバッファ３３６に格納されているアドレスデータの「ＵＲＬ」の列からＵＲＬを抽出し、そのＵＲＬが示すブログサイトにアクセスする。これにより、メール制限事項に違反する場合は、ブラウザ機能を実行することで日記を更新することができるようになる。また、作成したメールの本文（日記）が、コピーされるため、作成したデータを無駄にすることなく、日記の更新に活用できるようになる。なお、ブログ機能が実行されると、編集中のメールのデータはステップＳ９９の処理で削除される。また、ステップＳ１０９の処理を実行するプロセッサ２４は実行部として機能する。
【０１５２】
図１８は、ブログ機能処理のフロー図である。たとえば、使用者が図４に示されるブログキー６６ａを操作すると、プロセッサ２４はステップＳ１３１でアドレス帳データ３４２からブログ専用アドレスを抽出する。つまり、プロセッサ２４は、複数のアドレスデータの中から、「ブログ」の列に「１」が設定されるアドレスデータ、つまりブログ専用アドレスデータ３４２ｂを抽出する。続いて、ステップＳ１３３では、ブログ専用アドレスに対応するブログアイコン１５０，１５２を表示する。たとえば、図１３に示すように、ブログ専用のアドレスデータに対応するブログアイコン１５０，１５２などをディスプレイ３０に表示する。なお、ステップＳ１３３の処理を実行するプロセッサ２４は表示部として機能する。
【０１５３】
続いて、ステップＳ１３５では、１つのブログアイコンが選択されたか否かを判断する。つまり、カーソルＣｕによって１つのブログアイコンが選択された状態で、選択キー６６ｂに対応する確定キー２６ｅが操作されたか否かを判断する。ステップＳ１３５で“ＮＯ”であれば、つまり確定キー２６ｅが操作されなければ、ステップＳ１３５の処理を繰り返し実行する。
【０１５４】
また、ステップＳ１３５で“ＹＥＳ”であれば、たとえばブログアイコン１５０が選択された状態で、確定キー２６ｅが操作されれば、ステップＳ１３７で選択されたブログアイコン１５０に対応するアドレスデータを一時記憶する。つまり、ブログアイコン１５０に対応する「ＸＸＸ」のアドレスデータが宛先アドレスバッファ３３６に一時記憶される。続いて、ステップＳ１３９では、一時記憶されたアドレスが宛先に設定される新規メールを作成する。つまり、プロセッサ２４は、宛先アドレスバッファ３３６に一時記憶されているアドレスデータから、ブログ専用アドレスを読み出し、新規メールのデータを作成してメール作成バッファ３３２に格納する。そして、プロセッサ２４は、新規メールの宛先に読み出したブログ専用アドレスを設定する。これにより、プロセッサ２４は、図１０に示すように、メール編集画面をディスプレイ３０に表示する。なお、ステップＳ１３９の処理を実行するプロセッサ２４はメール作成部として機能する。
【０１５５】
続いて、ステップＳ１４１では、ブログアップ編集処理を実行し、ブログ機能処理を終了する。このように、携帯通信端末１０に日記を投稿するための専用機能を実装することで、使用者はアップロード用のメールを容易に作成できるようになる。
【０１５６】
なお、他の実施例では複数のメール制限事項が記憶されていてもよい。たとえば、携帯通信端末１０が事業主のメールサーバ１０２を利用しないメール（たとえば、フリーメール、Webメール、一般のプロバイダが提供するメールなど）を送受信できる場合、メールのアカウント毎にメール制限事項が設定される。
【０１５７】
図１９を参照して、この場合、メール制限事項データ３４４には、図８で示したメール制限事項の構成に加えて、「アカウント」の列が新たに加えられる。そして、アカウントＡ（たとえば、事業主が提供するメールアドレス）に対応して、最大文字数が「全角５０００文字」、最大ファイル容量が「２０００KB」、最大添付数が「５」と設定される。また、アカウントＢ（たとえば、フリーメールのアドレス）に対応して、最大文字数が「全角６０００文字」、最大ファイル容量が「２０００KB」、最大添付数が「５」と設定される。さらに、アカウントＣ（たとえば、一般のプロバイダが提供するメールのアドレス）に対応して、最大文字数が「全角５０００文字」、最大ファイル容量が「３０００KB」、最大添付数が「６」と設定される。
【０１５８】
そして、アカウントＡが選択され、ブログ専用アドレスが宛先に設定されたメールの送信操作がされると、送信に利用するアカウントＡに対応するメール制限事項と、ブログ専用アドレスに対する制限事項とに基づいて、送信されるメールの内容が確認される。このように、複数のメール制限事項が設定される場合には、選択されたアカウントおよびブログ専用アドレスに基づいて、メール制限事項および制限事項を適宜組み合わせることができる。そして、携帯通信端末１０は、送信されるメールがそれぞれの制限事項に違反しているかを確認できる。
【０１５９】
以上の説明から分かるように、携帯通信端末１０は、メールを利用するアップロードサービスに対応している。ＲＡＭ３４は、アップロードのためのブログ専用アドレスとアップロードにおける制限事項とを含む、ブログ専用のアドレスデータを記憶する。また、ブログ専用アドレスが宛先に設定されたメールの送信操作が行われると、プロセッサ２４は、送信されるメールが制限事項に違反しているかを判断する。そして、違反していなければ、そのメールはそのまま送信される。一方、違反していれば、メールは送信されずに、違反理由がディスプレイ３０に表示される。
【０１６０】
このように、ブログ専用アドレスとアップロードの制限事項とを含むアドレスデータを登録しておくことで、使用者は、アップロード用のメールを送信する前に制限事項を確認する必要が無くなり、使用者の利便性が向上する。
【０１６１】
また、正しくアップロードできないメールの送信が防止されるため、使用者の金銭的な負担や、アップロードの確認のための手間が軽減される。
【０１６２】
なお、本実施例において、アップロードの制限事項は使用者によって入力されているが、ブログ専用アドレスが発行された際に、制限事項のデータを受信することで、自動的に登録されてもよい。たとえば、ブログサイトの管理者は、ブログ専用アドレスを発行する際に、ブログ専用アドレスおよび制限事項を含む電子名刺データ（拡張子vcf）を送信する。そして、使用者は、その電子名刺データを受信し、そのデータをアドレスデータとして登録するだけで、ブログ専用アドレスおよび制限事項を容易に登録できる。
【０１６３】
また、本願発明のアップロードサービスは、ブログサイトだけに限らず、「twitter（登録商標）」、SNS(Social Network Service)内で提供される日記機能および「You tube（登録商標）」などの動画投稿サイトで提供される、アップロードサービスを含む。
【０１６４】
また、アップロードの制限事項としては、文字コードおよび題名の文字数などが含まれていてもよい。
【０１６５】
また、携帯通信端末１０の通信方式はCDMA方式に限らず、LTE(Long Term Evolution)方式、W-CDMA方式、GSM方式、TDMA方式、FDMA方式およびPHS方式などを採用してもよい。さらに、ディスプレイ３０にはLCDモニタが利用されるが、有機ELパネルなどの他の表示装置が利用されてもよい。
【０１６６】
そして、本願発明は、携帯通信端末１０のみに限らず、スマートフォン、PDA(Personal Digital Assistant)、ノート型PC（ネットブックなども含む）およびデスクトップ型のパソコンなどの通信端末に適用されてもよい。
【符号の説明】
【０１６７】
１０    …  携帯通信端末
１２    …  アンテナ
１４    …  無線通信回路
２４    …  プロセッサ
２６    …  キー入力装置
３０    …  ディスプレイ
３４    …  ＲＡＭ
１００    …  ネットワーク
１０２    …  メールサーバ
１０４    …  ブログサーバ
１０６    …  データサーバ
【図１】
2011180851.tif 000003
【図２】
2011180851.tif 000004
【図３】
2011180851.tif 000005
【図４】
2011180851.tif 000006
【図５】
2011180851.tif 000007
【図６】
2011180851.tif 000008
【図７】
2011180851.tif 000009
【図８】
2011180851.tif 000010
【図９】
2011180851.tif 000011
【図１０】
2011180851.tif 000012
【図１１】
2011180851.tif 000013
【図１２】
2011180851.tif 000014
【図１３】
2011180851.tif 000015
【図１４】
2011180851.tif 000016
【図１５】
2011180851.tif 000017
【図１６】
2011180851.tif 000018
【図１７】
2011180851.tif 000019
【図１８】
2011180851.tif 000020
【図１９】
2011180851.tif 000021